(57)【特許請求の範囲】
【請求項１】
入力された画像データを記憶手段に蓄積し、画像管理手段によって、上記入力された上記画像データに対応する文書ＩＤをシーケンシャルに生成し該文書ＩＤに基づいて上記画像データを管理するとともに、該入力された画像データを、該画像データを特定する文書ＩＤに対応する表示用コードとともに画像出力手段により出力する画像処理装置において、
上記画像管理手段の生成する文書ＩＤを、当該文書ＩＤにより特定される画像データの指定が可能なように該文書ＩＤと１対１に対応し、かつ入力された他の画像データの表示用コードを推定することができないように論理的にシーケンシャルでないスクランブル文書ＩＤに変換するとともに、上記表示用コードを該スクランブル文書ＩＤに基づいて出力するスクランブル処理手段と、
上記画像データと上記表示用コードを合成し、上記画像出力手段に出力することを指示するパターン合成手段とを備えたことを特徴とする画像処理装置。
【請求項２】
入力された画像データを記憶手段に蓄積し、画像管理手段によって、上記入力された上記画像データに対応する文書ＩＤをシーケンシャルに生成し該文書ＩＤに基づいて上記画像データを管理するとともに、該入力された画像データを、該画像データを特定する文書ＩＤに対応する表示用コードとともに画像出力手段により出力する画像処理装置において、
上記画像管理手段の生成する文書ＩＤを、当該文書ＩＤにより特定される画像データの指定が可能なように該文書ＩＤと１対１に対応し、かつ入力された他の画像データの表示用コードを推定することができないように論理的にシーケンシャルでないスクランブル文書ＩＤに変換するとともに、上記表示用コードをそれぞれ上記文書ＩＤまたは該スクランブル文書ＩＤに基づいて出力するスクランブル処理手段と、
上記表示用コードを、上記文書ＩＤまたは上記スクランブル文書ＩＤのどちらに基づいて出力するかをユーザが選択するためのコード種選択手段と、
上記画像データと上記表示用コードを合成し、上記画像出力手段に出力することを指示するパターン合成手段とを備えたことを特徴とする画像処理装置。
【請求項３】
上記表示用コードが上記スクランブル文書ＩＤである請求項１または請求項２記載の画像処理装置。
【請求項４】
入力された画像データを記憶手段に蓄積し、画像管理手段によって、上記入力された上記画像データに対応する文書ＩＤをシーケンシャルに生成し該文書ＩＤに基づいて上記画像データを管理するとともに、該入力された画像データを、該画像データを特定する文書ＩＤに対応する表示用コードとともに画像出力手段により出力する画像処理装置の画像管理方法において、
上記画像管理手段の生成する文書ＩＤを、当該文書ＩＤにより特定される画像データの指定が可能なように該文書ＩＤと１対１に対応し、かつ入力された他の画像データの表示用コードを推定することができないように論理的にシーケンシャルでないスクランブル文書ＩＤに変換するとともに、上記表示用コードを該スクランブル文書ＩＤに基づいて出力し、
上記画像データと上記表示用コードを合成し、上記画像出力手段により出力することを特徴とする画像処理装置の画像管理方法
【発明の詳細な説明】
【０００１】
【発明の属する技術分野】
本発明は、ディジタル複写機能を備えた画像処理装置に関し、特に、画像データの蓄積及び取り出しが可能な画像処理装置および画像処理装置の画像管理方法に関するものである。
【０００２】
【従来の技術】
ディジタル技術の発達により、画像データはコピーとして紙へ記録するだけでなく、磁気ディスク、光ディスク、光磁気ディスク等へファイルとして画像データを記憶することができるようになった。
【０００３】
そして、スキャナ等で取り込んだ画像データを内蔵の磁気ディスク等へファイルとして記憶し、このように記憶されたファイルをプリンタを利用して再び取り出す電子ファイリングシステムが、例えば特開昭６２−２１９７６９号公報に開示されている。
【０００４】
上記のような従来の電子ファイリングシステムは、画像データを読み込み、内蔵の磁気ディスク装置等へ画像ファイルとして記憶し、該画像ファイルに文書ＩＤを割り当てその文書ＩＤを電子的に判別できるようにバーコード等にコード化する。そして、記憶した画像データの第１ページ目または特徴的な画像を持つページの所定位置に上記バーコードを合成してユーザがその画像データの内容を把握するための登録シートを作成し、その登録シートをプリントする。
【０００５】
次に、記憶された画像データを取り出す場合には、上記登録シートのバーコードをバーコードリーダで読み取り、この登録シートのバーコードを文書ＩＤに変換し、その文書ＩＤに基づいて上記画像ファイルを特定することによって、所望の画像データを容易に取り出せるようにしている。
【０００６】
また従来、上記のようなファイリング機能は、専用のファイリング装置に組み込まれてきたが、近年、ディジタル複写機をベースにファクスやプリンタ等のディジタル画像機器を統合して、省スペース化を実現しようとするディジタル複合機が登場し、更に画像データを保存するファイリング機能を組み込んだディジタル複合機が出現してきた。
【０００７】
【発明が解決しようとする課題】
しかしながら、上記のような従来のシステムでは、上記バーコードの部分が汚れたりして解読可能レベルで読み取れない場合には、登録された画像データの取り出しが不可能となる。
【０００８】
また、上記のような複写機ベースのシステムの場合、スキャナーはフラットベッドタイプが標準的である。もし、上記登録シートが既にファイリングされていたり、ステープルで固定されていたら、一旦上記登録シートを取り外して上記フラットベッド型スキャナーで読み取れるようにしなければならず面倒である。
【０００９】
このような問題点の解決策として、上記文書ＩＤそのものを上記バーコードの下部に数字列または文字列として印刷し、キーボード等から上記文書ＩＤを直接入力して対応する画像データを特定し、取り出す方法が考えられる。
【００１０】
しかしながら、上記方法では上記文書ＩＤさえわかれば上記登録シートを保有していなくても上記画像データを取り出すことが可能となる。更に、上記電子ファイリングシステム内部のファイル管理情報である上記文書ＩＤをそのまま印刷出力として公開していることになる。通常、該文書ＩＤはシステム構築の容易性等の理由により、論理的にシーケンシャルに割り当てられている。このため、取り出したい画像データの前後に登録された画像データの上記登録シートを保有していれば、該登録シートに印刷されている上記文書ＩＤより、取り出したい画像データの文書ＩＤを推定することが可能である。
【００１１】
このように上記の方法は、上記画像データを不正に取り出せる危険性が高く、上記画像データの機密保持上大きな問題点を有していた。
本発明は上記の事情に鑑みて提案されたものであって、不正に上記画像データを取り出すことを防止することができ、上記画像データの機密性を高めることができる画像処理装置を提供することを目的とする。
【００１２】
【課題を解決するための手段】
本発明は上記目的を達成するために以下の手段を採用している。まず、本発明が適用される画像処理装置は、入力された画像データを記憶手段１０５に蓄積し、画像管理手段１０３によって、上記入力された上記画像データに対応する文書ＩＤをシーケンシャルに生成し該文書ＩＤに基づいて上記画像データを管理するとともに、該入力された画像データを、該画像データを特定する文書ＩＤに対応する表示用コードとともに画像出力手段１０９により出力する。
【００１３】
また、上記文書ＩＤに対応するＩＤマークあるいは表示用コードを入力することによって特定の画像データを指定し、該画像データを画像出力手段１０９により出力する。
【００１４】
上記画像処理装置において、上記画像管理手段１０３の生成する文書ＩＤを、当該文書ＩＤにより特定される画像データの指定が可能なように該文書ＩＤと１対１に対応し、かつ入力された他の画像データの表示用コードを推定することができないように論理的にシーケンシャルでないスクランブル文書ＩＤに変換するとともに、表示用コードを該スクランブル文書ＩＤに基づいて出力し、上記画像データと上記表示用コードを合成し、上記画像出力手段１０９により出力する。
【００１５】
具体的には、上記画像管理手段１０３の生成する文書ＩＤを、当該文書ＩＤにより特定される画像データの指定が可能なように該文書ＩＤと１対１に対応し、かつ入力された他の画像データの表示用コードを推定することができないように論理的にシーケンシャルでないスクランブル文書ＩＤに変換するとともに、表示用コードを該スクランブル文書ＩＤに基づいて出力するスクランブル処理手段１０６と、上記画像データと上記表示用コードを合成し、上記画像出力手段１０９に出力することを指示するパターン合成手段１０８とを備えることによって実現する。
【００１７】
よって、出力される上記表示用コードに上記スクランブル文書ＩＤを使用することができるので、該表示用コードから他の画像データの表示用コードを推定して不正に画像データを取り出すことはできない。
【００１８】
また、上記表示用コードを、上記文書ＩＤまたは上記スクランブル文書ＩＤのどちらに基づいて出力するかをユーザが選択するためのコード種選択手段１１３を備える構成とすることができる。
【００２５】
【発明の実施の形態】
（第１の実施形態）
図１は本発明の画像処理装置の一実施形態の構成を示す機能ブロック図であり、この画像処理装置における画像データのファイリング（蓄積）について、原稿のコピーとともに行う場合を例に、以下図に基づいて構成とともに動作を説明する。図２はこの動作手順を示すフローチャートである。
【００２６】
まず、ユーザがタッチパネル付きＬＣＤパネルおよびテンキーなどの複数のキーを備えた操作手段１０１の操作パネル１０１ａを用いて、コピーとともに画像データのファイリングを指示した時、この指示情報は上記操作手段１０１のパネル制御部１０１ｂに保持され、該パネル制御部１０１ｂは上記操作パネル１０１ａのスタートボタンが押下されると例えばデジタルスキャナ等の画像データ入力手段１０２に対して原稿の読み込みの指示を与え、また画像管理手段１０３に対して画像データのファイリングの指示を与える。
【００２７】
上記指示を受けた上記画像データ入力手段１０２は原稿を読み込み、デジタル変換して画像データとしてバッファ１０４に格納する（図２、ステップＳ１）。同時に、上記画像データのファイリングの指示を受けた上記画像管理手段１０３は、これからファイリングする画像データに対応する例えば７桁の数字等からなる文書ＩＤを生成する（ステップＳ２→Ｓ３）。尚、該文書ＩＤは、上記画像データの登録毎にシーケンシャルに割り当てる。また、該文書ＩＤは上記画像データを特定するためのものであり、例えば登録時間等に基づいて生成されても構わない。
【００２８】
次に、上記画像管理手段１０３により生成された上記文書ＩＤは、スクランブル処理手段１０６に通知される。該スクランブル処理手段１０６は、入力された上記文書ＩＤを該文書ＩＤと１対１に対応し、かつ論理的にシーケンシャルでないスクランブル文書ＩＤに変換する（ステップＳ４）。
【００２９】
尚、本実施の形態では、上記スクランブル文書ＩＤへの変換方法として「排他的論理和」を使用する。この「排他的論理和」は、基準数字のビット列と変換対象数字とのビット演算を行うことになるが、スクランブル処理とスクランブル解除での基準数字は同じものをとる。
【００３０】
例えば、３回連続して画像データの登録を行った場合、上記文書ＩＤとして登録順に「００００００１」「００００００２」「００００００３」が割り当てられる。この場合、上記スクランブル文書ＩＤとしては、上記文書ＩＤに対して０ｘＦＦＦＦＦＡ（１６進表示）を基準数値として排他的論理和により、各々「００００００４」「００００００７」「００００００６」が得られる。
【００３１】
このように変換された上記スクランブル文書ＩＤを、上記スクランブル処理手段１０６はＩＤマークエンコード手段１０７にＩＤマーク用コードとして、またパターン合成手段１０８に表示用コードとして通知する。
【００３２】
上記ＩＤマーク用コードが通知された上記ＩＤマークエンコード手段１０７は、例えば２次元バーコードの画像パターン等のＩＤマークにエンコードする。エンコードされた該ＩＤマークは、パターン合成手段１０８のビットマップメモリに記憶される（ステップＳ５）。
【００３３】
次に、上記パターン合成手段１０８は、上記ビットマップメモリに記憶されたＩＤマークと、上記バッファ１０４に保持された画像データと、上記スクランブル処理手段１０６より通知された上記表示用コードとをＩＤマーク付き画像として合成する（ステップＳ６）。この合成されたＩＤマーク付き画像は、例えば電子写真方式のプリンタ等の画像出力手段１０９により、図３に示すような上記画像データ、上記ＩＤマークおよび上記表示用コードが所定位置に合成された形式で、印刷用紙上にトナーやインク等を使用してＩＤマーク付き画像シートとして印刷される（ステップＳ７）。
【００３４】
よって、上記の３回連続して画像データの登録を行った場合の例における上記ＩＤマーク付き画像シートは、図３に示すように上記スクランブル文書ＩＤに基づいた表示用コードおよび上記ＩＤマークが印刷される。
【００３５】
次に、登録転送手段１１２が、上記画像管理手段１０３より受けた上記文書ＩＤに基づいたファイル名を付して、上記バッファ１０４に格納された上記画像データを例えばハードディスク等の記憶手段１０５に蓄積する（ステップＳ８）。
【００３６】
次に、２ページ以降の原稿があるならば、上記画像データ入力手段１０２は次の原稿を読み込み、デジタル変換して画像データとしてバッファ１０４に格納する（ステップＳ９→Ｓ１）。この２ページ目以降の画像データは、そのまま上記画像出力手段１０９により印刷された後、上記記憶手段１０５に蓄積される（ステップＳ２→Ｓ７→Ｓ８）。以降、この動作を繰り返し原稿がなくなると、ファイリング処理とコピー動作は終了する。
【００３７】
尚、上記実施の形態では上記画像データのファイリング（蓄積）について、原稿のコピーとともに行う例を示してしているが、これに限られるものではなく、上記画像データのファイリングを例えば上記画像データのファクシミリ送信、上記画像データのパソコン等からのプリント動作等とともに行うこと、またファイリング動作だけで行うこともでき、この動作の指定は上記操作手段１０１によりユーザが行うことができる。
【００３８】
次に、上記のように上記記憶手段１０５に蓄積された画像データを取り出す動作を以下説明する。図５はこの動作を示すフローチャートである。
上記画像データの取り出し方法は、図４に示すように上記ＩＤマーク付き画像シートを読み込むことにより画像データを指定する方法と、上記ＩＤマークの下部に数字列として印字されている上記表示用コードを、キーを用いて直接入力して指定する方法がある。
【００３９】
まず、ユーザは上記操作パネル１０１ａを用いて、文書取り出し方法の選択をする（図５、ステップＳ１１）。
上記ＩＤマーク付き画像シートにより画像データを指定する方法の場合、ユーザは図４の“ＩＤマーク付き画像シート”を選択して上記画像データ入力手段１０２上に上記ＩＤマーク付き画像シートを載置する。この指示情報は上記操作手段１０１のパネル制御部１０１ｂに保持され、該パネル制御部１０１ｂは上記操作パネル１０１ａのスタートボタンが押下されると上記画像データ入力手段１０２に対して上記ＩＤマーク付き画像シートの読み込みの指示を与える。
【００４０】
上記指示を受けた上記画像データ入力手段１０２は上記ＩＤマーク付き画像シートを読み込み、デジタル化して画像データとしてバッファ１０４に格納する（ステップＳ１２→Ｓ１３）。次に、ＩＤマークデコード手段１１１がバッファ１０４に格納された画像データから、ＩＤマークの存在する位置の画像データを切出し（ステップＳ１４）、該ＩＤマークをデコードし、上記ＩＤマーク付き画像シートの上記ＩＤマーク用コードを得て、スクランブル文書ＩＤデコード手段１１０に通知する（ステップＳ１５）。
【００４１】
該スクランブル文書ＩＤデコード手段１１０は、通知された上記ＩＤマーク用コード、すなわち上記スクランブル文書ＩＤを該スクランブル文書ＩＤに対応する上記文書ＩＤに変換し、上記画像管理手段１０３に通知する（ステップＳ１６）。ここでは、入力されたスクランブル文書ＩＤに、０ｘＦＦＦＦＦＡ（１６進表示）を基準数値として排他的論理和を取って上記文書ＩＤに変換する。
【００４２】
次に、上記画像管理手段１０３は、上記文書ＩＤに対応する画像データの読み出しを登録転送手段１１２に指示する（ステップＳ１７）。該指示により、該登録転送手段１１２は上記画像データを上記記憶手段１０８より上記バッファ１０４へ読み出し、更にこのように読み出された上記画像データは上記画像出力手段１０９から出力される（ステップＳ１８）。
【００４３】
一方、上記表示用コードを直接入力して画像データを指定する場合は、ユーザは図４の“表示用コード入力”を選択して上記表示用コードを入力する。この指示情報は上記操作手段１０１のパネル制御部１０１ｂに保持され、該パネル制御部１０１ｂは上記操作パネル１０１ａのスタートボタンが押下されると入力された上記表示用コードすなわち上記スクランブル文書ＩＤを、スクランブル文書ＩＤデコード手段１１０に通知する（ステップＳ１９）。
【００４４】
該スクランブル文書ＩＤデコード手段１１０は、上記ＩＤマーク付き画像シートにより画像データを指定する場合と同様に通知された上記スクランブル文書ＩＤを該スクランブル文書ＩＤに対応する上記文書ＩＤに変換し、上記画像管理手段１０３に通知する（ステップＳ１６）。以降の処理は、上記ＩＤマーク付き画像シートにより画像データを指定する場合と同様に行われ、上記文書ＩＤに対応する画像データは上記画像出力手段１０９から出力される（ステップＳ１７→Ｓ１８）。
【００４５】
尚、本実施の形態では、上記スクランブル処理手段１０６が上記スクランブル文書ＩＤをＩＤマークエンコード手段１０７に上記ＩＤマーク用コードとして、またパターン合成手段１０８に上記表示用コードとして通知する構成としているが、これに代えて上記スクランブル処理手段１０６がスクランブル処理されていない上記文書ＩＤを上記ＩＤマーク用コードとして上記ＩＤマークエンコード手段１０７に、上記スクランブル文書ＩＤを上記表示用コードとして上記パターン合成手段１０８に通知する構成とすることもできる。
【００４６】
この構成の場合、上記の３回連続して画像データの登録を行った場合の例における上記ＩＤマーク付き画像シートは、図６に示すように上記スクランブル文書ＩＤに基づいた表示用コード、上記文書ＩＤに基づいた上記ＩＤマークが印刷される。
【００４７】
以上のように、上記ＩＤマーク付き画像シートの表示用コードに上記スクランブル文書ＩＤを使用しているので、連続して画像データの登録を行っても、上記表示用コードを読み取るだけでは登録順を推定することはできない。よって、上記表示用コードから他のＩＤマーク付き画像シートの表示用コードを推定して不正に画像データを取り出すことはできない。
【００４８】
更に、上記ＩＤマークについても上記スクランブル文書ＩＤに基づいてエンコードすることにより、該ＩＤマークをデコードしても他の画像データの表示用コードを推定することはできず、不正に画像データを取り出すことはできない。
（第２の実施形態）
上記第１の実施形態では、上記表示用コードおよび上記ＩＤマーク用コードとして、それぞれ上記文書ＩＤまたは上記スクランブル文書ＩＤのどちらを使用するかは予め設定されている構成について述べたが、本実施形態ではこれをユーザによって選択可能とした構成について述べる。
【００４９】
図７は本発明の画像処理装置の他の実施形態の構成を示す機能ブロック図であり、この画像処理装置における画像データのファイリング（蓄積）について、原稿のコピーとともに行う場合を例に、以下図に基づいて構成とともに動作を説明する。図８はこの動作手順を示すフローチャートである。尚、第１の実施形態と同じ構成については、同じ符号を用いて説明を省略する。
【００５０】
まず、ユーザが上記操作手段１０１の操作パネル１０１ａを用いて、コピーとともに画像データのファイリングを指示すると、コード種選択手段１１３により上記操作パネル１０１ａに図９に示すような上記ＩＤマーク付き画像シートの表示用コードおよび上記ＩＤマーク用コードとして、それぞれ上記文書ＩＤまたは上記スクランブル文書ＩＤを使用するかを選択する選択画面が表示される。ここでユーザは、上記表示用コードおよび上記ＩＤマーク用コードとして、それぞれ上記スクランブル文書ＩＤを使用する場合は該選択画面で“ＯＮ”を、上記文書ＩＤを使用する場合は“ＯＦＦ”を選択する。（図８、ステップＳ２１）。
【００５１】
上記指示情報は上記操作手段１０１のパネル制御部１０１ｂに保持され、該パネル制御部１０１ｂは上記操作パネル１０１ａのスタートボタンが押下されると上記画像データ入力手段１０２に対して原稿の読み込みの指示を与え、また上記画像管理手段１０３に対して画像データのファイリングの指示を与える。更に、上記パネル制御部１０１ｂは、上記表示用コードおよび上記ＩＤマーク用コードとして、それぞれ“ＯＮ”、“ＯＦＦ”のどちらが選択されたかを上記コード種選択手段１１３に通知する。
【００５２】
上記指示を受けた上記画像データ入力手段１０２は原稿を読み込み、デジタルに変換して画像データとしてバッファ１０４に格納する（ステップＳ２２）。同時に、上記画像データのファイリングの指示を受けた上記画像管理手段１０３は、これからファイリングする画像データに対応する例えば７桁の数字等からなる文書ＩＤを生成し（ステップＳ２３→Ｓ２４）、上記スクランブル処理手段１０６に通知する。尚、該文書ＩＤは、上記画像データの登録毎にシーケンシャルに割り当てる。
【００５３】
また、上記コード種選択手段１１３は、ユーザにより上記表示用コードとして“ＯＮ”が選択されれば、上記表示用コードを上記スクランブル文書ＩＤに基づいて出力するように、一方“ＯＦＦ”が選択されれば、上記表示用コードを上記文書ＩＤに基づいて出力するようにスクランブル処理手段１０６に対して指示する。更に、ユーザにより上記ＩＤマーク用コードとして“ＯＮ”が選択されれば、上記ＩＤマーク用コードを上記スクランブル文書ＩＤに基づいて出力するように、一方“ＯＦＦ”が選択されれば、上記ＩＤマーク用コードを上記文書ＩＤに基づいて出力するようにスクランブル処理手段１０６に対して指示する。
【００５４】
次に、上記スクランブル処理手段１０６は、これらの上記コード種選択手段１１３の指示に基づいて、上記スクランブル文書ＩＤが必要な場合は上記第１の実施形態と同様に入力された上記文書ＩＤを該文書ＩＤと１対１に対応し、かつ論理的にシーケンシャルでない上記スクランブル文書ＩＤに変換する（ステップＳ２５→Ｓ２６）。
【００５５】
更に、上記スクランブル処理手段１０６は、上記コード種選択手段１１３の指示に基づいて、上記のように変換されたスクランブル文書ＩＤまたは上記文書ＩＤを、ＩＤマークエンコード手段１０７にＩＤマーク用コードとして、上記パターン合成手段１０８に上記表示用コードとして通知する。
【００５６】
ここで、上記ＩＤマーク用コードおよび上記表示用コードは、例えば７桁数字の上記文書ＩＤまたは上記スクランブル文書ＩＤを８桁数字に拡大し、８桁目を「スクランブルフラグコラム」とする。該「スクランブルフラグコラム」は上記文書ＩＤまたは上記スクランブル文書ＩＤのどちらであるかを示すもので、上記スクランブル文書ＩＤであれば「１」、上記文書ＩＤであれば「０」がセットされる。
【００５７】
例えば、上記スクランブル文書ＩＤが選択された場合は、上記文書ＩＤ「００００００１」に対応する上記ＩＤマーク用コードおよび上記表示用コードは、「１−００００００４」である。また、上記文書ＩＤが選択された場合は、上記文書ＩＤ「００００００２」に対応する上記ＩＤマーク用コードおよび上記表示用コードは、「０−００００００２」である。
【００５８】
上記ＩＤマーク用コードが通知された上記ＩＤマークエンコード手段１０７は、上記ＩＤマークにエンコードする。エンコードされた該ＩＤマークは、パターン合成手段１０８のビットマップメモリに記憶される（ステップＳ２７）。  次に、上記パターン合成手段１０８は、上記ビットマップメモリに記憶されたＩＤマークと、上記バッファ１０４に保持された画像データと、上記スクランブル処理手段１０６より通知された上記表示用コードとをＩＤマーク付き画像として合成する（ステップＳ２８）。この合成されたＩＤマーク付き画像は、上記画像出力手段１０９により、上記画像データ、上記ＩＤマークおよび上記表示用コードが所定位置に合成された形式で、ＩＤマーク付き画像シートとして印刷される（ステップＳ２９）。
【００５９】
次に、登録転送手段１１２が、上記画像管理手段１０３より受けた上記文書ＩＤに基づいたファイル名を付して、上記バッファ１０４に格納された上記画像データを上記記憶手段１０５に蓄積する（ステップＳ３０）。
【００６０】
この後、２ページ以降の原稿がある場合の処理については、上記第１の実施形態と同様である（ステップＳ３１→Ｓ２２→Ｓ２３→Ｓ２９→Ｓ３０）。
ここで、上記第１の実施形態の例のように３回連続して画像データの登録を行い、１番目の画像データの登録時に上記表示用コードおよび上記ＩＤマーク用コードとして上記スクランブル文書ＩＤが選択され、２番目と３番目の画像データの登録時に上記表示用コードおよび上記ＩＤマーク用コードとして上記文書ＩＤが選択されたとする。この場合、１番目のＩＤマーク付き画像シートは、図１０に示すように上記スクランブル文書ＩＤに基づいた表示用コードおよび上記ＩＤマークが印刷される。２番目と３番目のＩＤマーク付き画像シートは、上記文書ＩＤに基づいた表示用コードおよび上記ＩＤマークが印刷される。
【００６１】
このように、１番目と２番目のＩＤマーク付き画像シートの上記表示用コードは、論理的に連続になっていない。また、スクランブル解除後の２番目と３番目の上記表示用コードは、論理的に連続になっている。
【００６２】
次に、上記のように上記記憶手段１０５に蓄積された画像データを取り出す動作を以下説明する。図１１はこの動作を示すフローチャートである。
上記画像データの取り出し方法は、上記第１の実施形態と同様に上記ＩＤマーク付き画像シートを読み込むことにより画像データを指定する方法と、上記ＩＤマークの下部に数字列として印字されている上記表示用コードを、キーを用いて直接入力して指定する方法がある。
【００６３】
まず、上記ＩＤマーク付き画像シートにより画像データを指定する方法の場合、上記ＩＤマークデコード手段１１１がバッファ１０４に格納された画像データから、ＩＤマークの存在する位置の画像データを切出し、該ＩＤマークをデコードして、上記ＩＤマーク付き画像シートの上記ＩＤマーク用コードを得るまでの動作（図１１、ステップＳ４１→Ｓ４５）は上記第１の実施形態と同様であるので、これ以降の動作について述べる。
【００６４】
上記ＩＤマークデコード手段１１１によって得られた上記ＩＤマーク用コードは、ＩＤコード判別手段１１４に通知される。
該ＩＤコード判別手段１１４は、通知された上記ＩＤマーク用コードが上記文書ＩＤか上記スクランブル文書ＩＤのどちらであるかを、上記ＩＤマーク用コードに含まれる上記「スクランブルフラグコラム」に基づいて判別する（ステップＳ４６）。すなわち、該「スクランブルフラグコラム」が「１」であれば上記スクランブル文書ＩＤであり、「０」であれば上記文書ＩＤである。ここで、上記スクランブル文書ＩＤであると判別されれば、該スクランブル文書ＩＤをスクランブル文書ＩＤデコード手段１１０に通知する。一方、上記文書ＩＤであると判別されれば、該文書ＩＤを上記画像管理手段１０３に通知する。
【００６５】
該スクランブル文書ＩＤデコード手段１１０は、通知された上記ＩＤマーク用コード、すなわち上記スクランブル文書ＩＤを該スクランブル文書ＩＤに対応する上記文書ＩＤに変換し、上記画像管理手段１０３に通知する（ステップＳ４７）。ここでは、入力されたスクランブル文書ＩＤに、０ｘＦＦＦＦＦＡ（１６進表示）を基準数値として排他的論理和を取って上記文書ＩＤに変換する。
【００６６】
よって、上記ＩＤマーク用コードが上記文書ＩＤまたは上記スクランブル文書ＩＤのどちらの場合も、上記文書ＩＤが上記画像管理手段１０３に通知されたことになる。
【００６７】
次に、上記画像管理手段１０３は、上記文書ＩＤに対応する画像データの読み出しを登録転送手段１１２に指示する（ステップＳ４８）。該指示により、該登録転送手段１１２は上記画像データを上記記憶手段１０８より上記バッファ１０４へ読み出し、更にこのように読み出された上記画像データは上記画像出力手段１０９から出力される（ステップＳ４９）。
【００６８】
一方、上記表示用コードを直接入力して画像データを指定する場合は、ユーザは図４の“表示用コード入力”を選択して上記表示用コードを入力する。この指示情報は上記操作手段１０１のパネル制御部１０１ｂに保持され、該パネル制御部１０１ｂは上記操作パネル１０１ａのスタートボタンが押下されると入力された上記表示用コードを、上記ＩＤコード判別手段１１４に通知する（ステップＳ５０）。
【００６９】
以降の処理は、上記ＩＤマーク付き画像シートにより画像データを指定する場合と同様に行われ、上記文書ＩＤに対応する画像データは上記画像出力手段１０９から出力される（ステップＳ４６→Ｓ４９）。
【００７０】
尚、本実施の形態では、上記コード種選択手段１１３により上記表示用コードおよび上記ＩＤマーク用コードの両方を選択可能な構成としているが、どちらか一方だけ選択可能な構成としても構わない。例えば、上記ＩＤマーク用コードとして上記文書ＩＤを使用するとした上で、上記コード種選択手段１１３により上記表示用コードが選択できる構成とした場合、上記スクランブル処理手段１０６が上記文書ＩＤを上記ＩＤマーク用コードとして上記ＩＤマークエンコード手段１０７に通知し、上記表示用コードとして上記コード種選択手段１１３の指示に基づいて、上記スクランブル文書ＩＤまたは上記文書ＩＤを上記パターン合成手段１０８に通知することになる。
【００７１】
この構成の場合、上記の例と同様に３回連続して画像データの登録を行い、１番目の画像データの登録時に上記表示用コードとして上記スクランブル文書ＩＤが選択され、２番目と３番目の画像データの登録時に上記表示用コードとして上記文書ＩＤが選択されたとする。この場合、図１２に示すように各ＩＤマーク付き画像シートには、上記文書ＩＤに基づいた上記ＩＤマークが印刷される。また１番目のＩＤマーク付き画像シートには、上記スクランブル文書ＩＤに基づいた表示用コードが印刷され、２番目と３番目のＩＤマーク付き画像シートには、上記文書ＩＤに基づいた表示用コードが印刷される。
【００７２】
以上のように、上記ＩＤマーク付き画像シートの上記表示用コードに上記スクランブル文書ＩＤまたは上記文書ＩＤのどちらを使用するかをユーザが選択できるように構成しているので、ユーザは必要に応じて画像データを機密保持性の高いモードで登録するか、機密保持性の低いモードで登録するかを選択できる。更に、上記ＩＤマークについても上記スクランブル文書ＩＤまたは上記文書ＩＤのどちらに基づいてエンコードするかを選択できるように構成した場合、必要に応じて画像データを機密保持性の異なる４つのモードで登録することが可能である。
【００７３】
また、上記表示用コードを直接入力して画像データを指定して取り出す場合であっても、上記表示用コードが上記文書ＩＤまたは上記スクランブル文書ＩＤのどちらであるかに関係なく操作方法は同じであり、統一された操作方法となっている。
【００７４】
尚、上記各実施の形態では、上記文書ＩＤとして数字を使用しているが論理的にシーケンシャルならば文字列を含んでいても構わない。
また、上記各実施の形態では、上記ＩＤマークは２次元バーコードを使用したが、これに限られるものではなく、例えば一般的な１次元バーコードであっても構わない。
【００７５】
また、上記各実施の形態では、上記スクランブル文書ＩＤのエンコード、およびデコードに「排他的論理和」を使用したが、例えば「ビットシフト」、「ビット並び替え」、および「それらの組み合わせ」等を使用してもよい。
【００７６】
【発明の効果】
上記のように、本発明に係る画像処理装置は、システム内部のファイル管理情報である上記文書ＩＤではなく、該文書ＩＤと１対１に対応し、かつ論理的にシーケンシャルでないスクランブル文書ＩＤを画像シートの表示用コードに使用しているので、前後等に登録された画像データの画像シートの表示用コードより推測して他の画像データを取り出すことは困難となる。このため、不正な画像データの取り出しを防止することができ、機密保持性を高められる。
【図面の簡単な説明】
【図１】本発明の一実施の形態における画像処理装置の構成を示す機能ブロック図である。
【図２】本発明の一実施の形態における画像データのファイリング時の動作手順を示すフローチャートである。
【図３】本発明の一実施の形態において連続して画像データのファイリングを行った場合の３枚のＩＤマーク付き画像シートの例である。
【図４】本発明の一実施の形態における画像データの取り出し方法を選択する操作パネル図である。
【図５】本発明の一実施の形態における画像データの取り出し時の動作手順を示すフローチャートである。
【図６】本発明の一実施の形態において連続して画像データのファイリングを行った場合の３枚のＩＤマーク付き画像シートの例である。
【図７】本発明の他の実施の形態における画像処理装置の構成を示す機能ブロック図である。
【図８】本発明の他の実施の形態における画像データのファイリング時の動作手順を示すフローチャートである。
【図９】本発明の他の実施の形態における表示用コードおよびＩＤマーク用コードを選択する操作パネル図である。
【図１０】本発明の他の実施の形態において連続して画像データのファイリングを行った場合の３枚のＩＤマーク付き画像シートの例である。
【図１１】本発明の他の実施の形態における画像データの取り出し時の動作手順を示すフローチャートである。
【図１２】本発明の他の実施の形態において連続して画像データのファイリングを行った場合の３枚のＩＤマーク付き画像シートの例である。
【符号の説明】
１０１  操作手段
１０２  画像データ入力手段
１０３  画像管理手段
１０４  バッファ
１０５  記憶手段
１０６  スクランブル処理手段
１０７  ＩＤマークエンコード手段
１０８  パターン合成手段
１０９  画像出力手段
１１０  スクランブル文書ＩＤデコード手段
１１１  ＩＤマークデコード手段
１１２  登録転送手段
１１３  コード種選択手段
１１４  ＩＤコード判別手段
【図１】
0003640530.tif 000002
【図２】
0003640530.tif 000003
【図３】
0003640530.tif 000004
【図４】
0003640530.tif 000005
【図５】
0003640530.tif 000006
【図６】
0003640530.tif 000007
【図７】
0003640530.tif 000008
【図８】
0003640530.tif 000009
【図９】
0003640530.tif 000010
【図１０】
0003640530.tif 000011
【図１１】
0003640530.tif 000012
【図１２】
0003640530.tif 000013